(57)【特許請求の範囲】
【請求項１】
マウンテンバイク用の太いタイヤを逃げ、かつその太いタイヤを余裕を持って囲じょうするサークル錠に適合する間隔にジュニア・マウンテンバイクフレームのバックホークの上部を離隔形成し、該バックホークの上部にサークル錠を取付バンドにより取付け、泥除の取付け位置をシートピンに構成して泥除を取付けてなるジュニア・マウンテンバイク用サークル錠装置において、バックホークの上部に、前記サークル錠に下方から連接するサークル錠用滑り止を配備してなるジュニア・マウンテンバイク用サークル錠装置。
【請求項２】
前記泥除は、その取付金具の基部の取付孔をシートピンに嵌挿し、また、泥除の取付金具の基部の内面をシートラグの外面に連接し、シートピンの一端からナットを螺合してシートピンの頭部とナットにより外側から締付けて泥除の取付金具を固着すると共に、取付金具の基部の取付孔から所要離隔した位置間に差し渡される差渡連接面を、ジュニア・マウンテンバイクフレームのバックホークの上部の外周上面に連接して泥除を所要角度に維持させ、後車輪に上方から対設してなる請求項１のジュニア・マウンテンバイク用サークル錠装置。
【請求項３】
前記サークル錠用滑り止は、バックホークの各上部間に差し渡されるブリッジに固着して配備されるサークル錠用滑り止片からなる請求項１または請求項２のジュニア・マウンテンバイク用サークル錠装置。
【請求項４】
前記サークル錠用滑り止は、バックホークの少なくとも一方上部の外周面に溶着して配備される所要厚でかつ所要外形のサークル錠用滑り止板からなる請求項１または請求項２のジュニア・マウンテンバイク用サークル錠装置。
【発明の詳細な説明】
【０００１】
【発明が属する技術分野】
この発明は、ジュニア・マウンテンバイク用サークル錠装置に関するものである。
【０００２】
【従来の技術】
従来のジュニア・マウンテンバイクには、サークル錠を取付けることができなかった。すなわち、従来のジュニア・マウンテンバイク・フレームでは、サークル錠を取付ける位置が泥除けを取付ける位置になっているため、走行機能が優先されて泥除けを取付けるため、サークル錠を取付けることができなかった。
【０００３】
【発明が解決しようとする課題】
前述のように、従来のジュニア・マウンテンバイクには、サークル錠を取付けることができなかったから、悪戯的乗り逃げ・盗難が頻繁に発生し、教育的配慮からも問題があった。この発明は、かかる問題を解決しようとするものである。
【０００４】
【課題を解決するための手段】
マウンテンバイク用の太いタイヤを逃げ、かつその太いタイヤを余裕を持って囲じょうするサークル錠に適合する間隔にジュニア・マウンテンバイクフレームのバックホークの上部を離隔形成し、該バックホークの上部にサークル錠を取付バンドにより取付け、泥除の取付け位置をシートピンに構成して泥除を取付けてなるジュニア・マウンテンバイク用サークル錠装置において、バックホークの上部に、前記サークル錠に下方から連接するサークル錠用滑り止を配備してなるジュニア・マウンテンバイク用サークル錠装置にある。
【０００５】
前記泥除は、その取付金具の基部の取付孔をシートピンに嵌挿し、また、泥除の取付金具の基部の内面をシートラグの外面に連接し、シートピンの一端からナットを螺合してシートピンの頭部とナットにより外側から締付けて泥除の取付金具を固着すると共に、取付金具の基部の取付孔から所要離隔した位置間に差し渡される差渡連接面を、ジュニア・マウンテンバイクフレームのバックホークの上部の外周上面に連接して泥除を所要角度に維持させ、後車輪に上方から対設してなるものとしてもよいものである。
【０００６】
前記サークル錠用滑り止は、バックホークの各上部間に差し渡されるブリッジに固着して配備されるサークル錠用滑り止片から構成してもよいものである。
【０００７】
前記サークル錠用滑り止は、バックホークの少なくとも一方上部の外周面に溶着して配備される所要厚でかつ所要外形のサークル錠用滑り止板から構成してもよいものである。
【０００８】
【発明の実施の形態】
マウンテンバイク用の太いタイヤを逃げ、かつその太いタイヤを余裕を持って囲じょうするサークル錠に適合する間隔にジュニア・マウンテンバイクフレームのバックホークの上部を離隔形成し、該バックホークの上部にサークル錠を取付バンドにより取付け、泥除の取付金具の基部の取付孔をシートピンに嵌挿し、また、泥除の取付金具の基部の内面をシートラグの外面に連接し、シートピンの一端からナットを螺合してシートピンの頭部とナットにより外側から締付けて泥除の取付金具を固着すると共に、取付金具の基部の取付孔から所要離隔した位置間に差し渡される差渡連接面をバックホークの上部の外周上面に連接して泥除を所要角度に維持させ、後車輪に上方から対設し、バックホークの少なくとも一方上部の外周面に、所要厚でかつ所要外形のサークル錠用滑り止板を溶着して配備して前記サークル錠に下方から連接してなるジュニア・マウンテンバイク用サークル錠装置。
【０００９】
【実施例】
以下、この発明のジュニア・マウンテンバイク用サークル錠装置を図面に示す第１実施例および第２実施例により説明する。先ず、第１実施例のジュニア・マウンテンバイク用サークル錠装置１を図１〜図７により説明する。
【００１０】
ジュニア・マウンテンバイクフレーム２のバックホーク３、３において上部３ａ、３ａを、マウンテンバイク用の太いタイヤ４を逃げ、かつその太いタイヤ４を余裕を持って囲じょうするサークル錠５に適合する間隔に離隔形成し、泥除６の取付け位置をシートピン７に構成して泥除６を取付け、サークル錠５をバックホーク３、３の各上部３ａ、３ａに取付けている。
【００１１】
シートピン７に泥除６の取付金具８の基部８ａの取付孔９を嵌挿し、基部８ａの内面をシートラグ１０の外面に連接し、シートピン７の一端からナット１１を螺合してシートピン７の頭部７ａとナット１１により外側から締付けて泥除６の取付金具８を固着すると共に、取付金具８の基部８ａ、８ａの取付孔９、９から所要離隔した位置に形成される連接面８ａ１、８ａ１をバックホーク３、３の各上部３ａ、３ａの外周上面に連接して泥除６を所要角度に維持させ、後車輪１２に上方から対設してなるものである。
【００１２】
バックホーク３、３の各上部３ａ、３ａ間に差し渡されるブリッジ１３に、サークル錠５のサークル錠用滑り止片１４をネジ１５により固着して配備してなるものである。
【００１３】
第１実施例のジュニア・マウンテンバイク用サークル錠装置１は、上記のように、構成されるものであるから、泥除６をシートピン７を利用して取付けるこによりバックホーク３、３の上部３ａ、３ａにサークル錠５を取付けるスペースを確保することができ、そのスペースにサークル錠５を取付けることができ、泥除６は取付金具８の基部８ａの取付孔９が挿通するシートピン７と基部８ａの差渡連接面８ａ１が連接するバックホーク３、３の上部３ａ、３ａの外周上面の２点で支承することができ、走行振動等により移動または回動することがなく、所要角度を維持できるものである。
【００１４】
また、サークル錠用滑り止片１４がバックホーク３、３の各上部３ａ、３ａ間に差し渡されるブリッジ１３に、ネジ１５により固着し、サークル錠５の上部内径に対面しているから、サークル錠５の取付バンド５ａ、５ａの締付けが万一緩んだ場合でも、サークル錠用滑り止片１４がサークル錠５を支えて下方へ滑り落ちることがなく、マウンテンバイク用の太いタイヤ４との接触を未然に防止するものである。
【００１５】
次に、第２実施例のジュニア・マウンテンバイク用サークル錠装置１６を図６〜図１０により説明すると、第１実施例と同様に、ジュニア・マウンテンバイクフレーム２のバックホーク３、３において上部３ａ、３ａを、マウンテンバイク用の太いタイヤ４を逃げ、かつその太いタイヤ４を余裕を持って囲じょうするサークル錠５に適合する間隔に離隔形成し、泥除６の取付け位置をシートピン７に構成して泥除６を取付け、サークル錠５をバックホーク３、３の各上部３ａ、３ａに取付けている。
【００１６】
シートピン７に泥除６の取付金具８の基部８ａの取付孔９を嵌挿し、基部８ａの内面をシートラグ１０の外面に連接し、シートピン７の一端からナット１１を螺合してシートピン７の頭部７ａとナット１１により外側から締付けて泥除６の取付金具８を固着すると共に、取付金具８の基部８ａの取付孔９から所要離隔した位置間に差し渡される差渡連接面８ａ１をバックホーク３、３の各上部３ａ、３ａの外周上面に連接して泥除６を所要角度に維持させ、後車輪１２に上方から対設してなるものである。
【００１７】
バックホーク３の少なくとも一方上部３ａの外周面に所要厚でかつ所要外形のサークル錠用滑り止板（ダボ）１７を溶着してなるものである。なお、このサークル錠用滑り止板（ダボ）１７は、図示しないが、止めネジ、止めバンド等であってもよいものである。
【００１８】
第２実施例のジュニア・マウンテンバイク用サークル錠装置１６は、上記のように、構成されるものであるから、第１実施例と同様に、泥除６をシートピン７を利用して取付けることによりバックホーク３、３の上部３ａ３ａにサークル錠５を取付けるスペースを確保することができ、そのスペースにサークル錠５を取付けることができ、泥除６は取付金具８の基部８ａの取付孔９が挿通するシートピン７と基部８ａの差渡連接面８ａ１が連接するバックホーク３、３の上部３ａ、３ａの外周上面の２点で支承することができ、走行振動等により移動または回動することがなく、所要角度を維持できるものである。
【００１９】
また、サークル錠用滑り止板（ダボ）１７が少なくとも一方上部３ａの外周面に固着して、サークル錠５の取付バンド５ａの少なくとも一方に対面しているから、サークル錠５の取付バンド５ａ、５ａの締付けが万一緩んだ場合でも、サークル錠用滑り止板（ダボ）１７が対応するサークル錠５に取付バンド５ａに衝突してサークル錠５は下方へ滑り落ちることがなく、第１実施例と同様に、マウンテンバイク用の太いタイヤ４との接触を未然に防止するものである。
【００２０】
【発明の効果】
この発明のジュニア・マウンテンバイク用サークル錠装置は、以上ようになるから、ジュニア・マウンテンバイクにサークル錠を配備することができ、悪戯的乗り逃げ・盗難を防止し、また児童・少年の所有物に対する管理教育にも寄与するものである。
【図面の簡単な説明】
【図１】  この発明のジュニア・マウンテンバイク用サークル錠装置の第１実施例の全体側面図である。
【図２】  同じく、第１実施例のジュニア・マウンテンバイクフレームにサークル錠を取付けた状態における部分斜視図である。
【図３】  同じく、部分斜視図である。
【図４】  同じく、サークル錠単体の底面からの斜視図である。
【図５】  同じく、サークル錠のサークル錠用滑り止片の斜視図である。
【図６】  シートピンに締着し、かつ連接面をバックホークの上部の外周上面に連接して取付ける泥除単体の下方からの斜視図である。
【図７】  シートピンとナットおよびワッシャーの斜視図である。
【図８】  この発明のジュニア・マウンテンバイク用サークル錠装置の第２実施例のジュニアー・マウンテンバイクフレームにサークル錠を取付けた状態における部分斜視図である。
【図９】  同じく、部分斜視図である。
【図１０】  同じく、サークル錠のサークル錠用滑り止板（ダボ）の斜視図である。
【符号の説明】
１  第１実施例のジュニア・マウンテンバイク用サークル錠装置
２  ジュニア・マウンテンバイクフレーム
３  バックホーク
３ａ  上部
４  マウンテンバイク用の太いタイヤ
５  サークル錠
５ａ  取付けバンド
６  泥除
７  シートピン
７ａ  頭部
８  取付金具
８ａ  基部
８ａ１  差渡連接面
９  取付孔
１０  シートラグ
１１  ナット
１２  後車輪
１３  ブリッジ
１４  サークル錠用滑り止片
１５  ネジ
１６  第２実施例のジュニア・マウンテンバイク用サークル錠装置
１７  サークル錠用滑り止板（ダボ）
【図１】
0004457371.tif 000002
【図２】
0004457371.tif 000003
【図３】
0004457371.tif 000004
【図４】
0004457371.tif 000005
【図５】
0004457371.tif 000006
【図６】
0004457371.tif 000007
【図７】
0004457371.tif 000008
【図８】
0004457371.tif 000009
【図９】
0004457371.tif 000010
【図１０】
0004457371.tif 000011